(57)【要約】      （修正有）【課題】散布領域が広く、散布作業を効率良く行うことができる農業用散布器を提供する。【解決手段】加圧供給機から供給される農薬、消毒薬等の散布物を散布することのできる散布器であり、加圧供給機に連結された供給パイプ５と、供給パイプ５の先端側に回転可能に連結された回転ノズル６及び拡散羽根７を備えている。回転ノズル６は供給パイプ５の周方向外側に突出する二本以上のアームパイプ１３とそれらアームパイプ１３の先端側に取り付けられたノズル１４を備え、加圧供給機から供給パイプ５に供給された散布物がアームパイプ１３を通してノズル１４から噴射されるとその噴射の反作用で噴出方向と反対方向に回転する。拡散羽根７は回転ノズル６よりも供給パイプ５側に設けられてアームパイプ１３と同方向に突設され、回転ノズル６と共に回転して、回転ノズル６から噴射される散布物を先方及び横方向に拡散できる。【選択図】図２
0003204516.tif 000002
【実用新案登録請求の範囲】
【請求項１】
加圧供給機から供給される農薬、消毒薬等の散布物を散布することのできる散布器において、
加圧供給機に連結された供給パイプと、供給パイプの先端側に回転可能に連結された回転ノズル及び拡散羽根を備え、
回転ノズルは供給パイプの周方向外側に突出する二本以上のアームパイプと、それらアームパイプの先端側に取り付けられたノズルを備え、加圧供給機から供給パイプに供給された散布物が前記アームパイプを通して前記ノズルから噴射されると、その噴射時の反作用で噴射方向と反対方向に回転でき、
前記拡散羽根は供給パイプの外側に突設され、回転ノズルよりも供給パイプ側に設けられ、前記回転ノズルと共に回転して、前記ノズルから噴射される散布物を先方及び横方向に拡散できる、
ことを特徴とする農業用散布器。
【請求項２】
請求項１記載の農業用散布器において、
拡散羽根が回転方向に二枚以上設けられた、
ことを特徴とする農業用散布器。
【請求項３】
請求項２記載の農業用散布器において、
拡散羽根が供給パイプの軸方向に二段以上に設けられた、
ことを特徴とする農業用散布器。
【請求項４】
請求項１から請求項３のいずれか１項に記載の農業用散布器において、
拡散羽根よりも供給パイプ側に保護カバーを備え、
前記保護カバーは供給パイプの外側に突出する、
ことを特徴とする農業用散布器。
【考案の詳細な説明】
【技術分野】
【０００１】
本考案は、農業ハウス内或いは屋外（露地）で、農薬、消毒薬、肥料等の散布（噴霧）に使用可能な散布器（噴霧器）に関する。
【背景技術】
【０００２】
農薬、消毒薬、肥料等の散布に使用する散布器には各種機能、形態のものがある。
【先行技術文献】
【特許文献】
【０００３】
【特許文献１】特開２０１６−０１５９１９号公報
【考案の概要】
【考案が解決しようとする課題】
【０００４】
従来の散布器は、散布範囲（領域）が狭いため、農業ハウス内で水耕栽培中の植物に散布するときは栽培ベッドごとに、露地栽培では畝ごとに散布しなければならず、散布作業の効率が悪く、散布作業に時間が掛かるという難点があった。
【０００５】
本考案の解決課題は、散布領域が広く、散布作業を効率良く行うことができる農業用散布器を提供することにある。
【課題を解決するための手段】
【０００６】
本考案の農業用散布器は、加圧供給機から供給される農薬、消毒薬等の散布物を散布することのできる散布器であり、加圧供給機に連結された供給パイプと、供給パイプの先端側に回転可能に連結された回転ノズル及び拡散羽根を備え、回転ノズルは供給パイプの周方向外側に突出する二本以上のアームパイプとそれらアームパイプの先端側に取り付けられたノズルを備え、加圧供給機から供給パイプに供給された散布物が前記アームパイプを通して前記ノズルから散布されるとその噴射の反作用（反力）で噴射方向と反対方向に回転し、拡散羽根は回転ノズルよりも供給パイプ側に設けられてアームパイプと同方向に突設され、前記回転ノズルと共に回転して、前記回転ノズルから散布される散布物を先方及び横方向に拡散できるものである。拡散羽根は回転方向に二枚以上備えたものであってもよく、供給パイプの軸方向に二段以上の多段に設けることもできる
【０００７】
本考案の農業用散布器では、拡散羽根よりも供給パイプ側に保護カバーを設けることもできる。保護カバーは拡散羽根の突出方向に広がっており、供給パイプを持っている作業者の手や作業衣が拡散羽根や回転ノズルに巻き込まれないようにするものである。
【考案の効果】
【０００８】
本考案の農業用散布器は次の効果を奏する。
１．回転ノズルが散布物噴射時の反作用で回転するので、回転ノズルが回転用モータ等の動力源がなくても自動的に回転し、散布物が先方及び横方向に拡散される。
２．回転ノズルから噴射される散布物が拡散羽根で拡散されるので、拡散領域が広くなる。
３．拡散羽根よりも供給パイプ側に保護カバーがあるため、供給パイプを持った作業者の手や作業衣が拡散羽根や回転ノズルに当たるとか巻き込まれるといったことがなく安全である。
【図面の簡単な説明】
【０００９】
【図１】本考案の農業用散布器の使用説明図。
【図２】本考案の農業用散布器の一例を示す斜視図。
【図３】本考案発明の農業用散布器の回転ノズルの分解説明図。
【図４】本考案の農業用散布器の拡散羽根の例であり、（ａ）は羽根片が二枚の場合、（ｂ）は羽根片が四枚の場合の斜視図。
【図５】図４（ａ）の拡散羽根の断面図。
【図６】本考案の農業用散布器の他例を示すものであって、羽根片が四枚の拡散羽根を取り付ける場合の説明図。
【考案を実施するための形態】
【００１０】
（実施形態）
［散布器］
本発明の農業用散布器の一例を、図面に基づいて説明する。図１に示す散布器１は加圧供給機２から供給される液状又は粉状の散布物を霧状にして、栽培中の植物３に散布（噴霧）することのできる散布器である。前記散布器１は加圧供給機２に接続されたホース４に連結可能な供給パイプ５と、供給パイプ５の先端側に設けられた回転ノズル６（図２、図３）と、拡散羽根７（図２、図４）と、保護カバー８（図２）を備えている。
【００１１】
［ホース］
前記ホース４には汎用のホースを使用することができ、ホース４は可撓性のあるホースが使用し易い。
【００１２】
［供給パイプ］
前記供給パイプ５には金属製或いは樹脂製のパイプを使用することができる。供給パイプ５は加圧供給機２に接続されたホース４に連結具（図示せず）で連結されている。供給パイプ５の先端にはホース側連結具９（図２）が取り付けられている。ホース側連結具９の内側にはネジ孔９ａ（図２）があり、そのネジ孔９ａにノズル側連結具１０（図２、図３）をねじ込んで脱着可能に連結できるようにしてある。ノズル側連結具１０の先端には回転具１１（図３、図５）が水平回転できるように取り付けられている。回転具１１は外周面が六角形（図５）であり、ネジ孔１１ａ（図３）を備えている。
【００１３】
［回転ノズル］
前記回転ノズル６（図３）は基体１２から外側四方に四本のアームパイプ１３が突設され、各パイプ１３の先端にノズル１４がアームパイプ１３の軸方向側方に向けて（横向きに）取り付けられている。横向きは真横とは限らず上方横向き或いは下方横向き（斜め横向き）であってよい。ノズル１４を横向きに取り付けることにより、ノズル１４から噴射される散布物が横方向に拡がるようにしてある。基体１２の下部外周面１２ａ（図３）にはネジが切られており、その下部外周面１２ａを前記回転具１１（図３）のネジ孔１１ａにねじ込んで固定可能としてある。固定された回転ノズル６は回転具１１の回転により水平回転する。アームパイプ１３の本数は図示した以外の本数に、ノズル１４の形状、構造等は図示した以外のものとすることもできる。
【００１４】
［拡散羽根］
前記拡散羽根７（図４（ａ））は樹脂製であり、筒状の嵌合部１５（図５）から外側に羽根連結部１５ａが突出しており、羽根片１６が羽根連結部１５ａにねじ止めされて固定されている。嵌合部１５（図４（ａ））は内周面が六角形であり、内周面上縁に係止突起１５ｂ（図５）がリング状に突設されている。この嵌合部１５は図３のように回転具１１の外周面１１ｂ（図５）に被せて回転具１１に取り付けることができる。この場合、嵌合部１５の六角形の内周面が回転具１１の六角形の外周面１１ｂ（図５）と嵌合して、回転具１１の回転に伴って回転するようにしてある。嵌合部１５の内周面形状は回転具１１の外周面形状に合わせてあり、回転具１１の外周面１１ｂに嵌合すると空転しないようにしてあるため、五角形、八角形といった他の多角形であってもよい。回転具１１の外周面１１ｂ（図５）が円筒状或いは丸棒状の場合は、それに嵌合できるように円筒状にし、回転具１１の外周面１１ｂに嵌合してからねじ止めして空転しないようにすることもできる。拡散羽根７は図２のように回転具１１に取り付ける場合、回転ノズル６よりも供給パイプ５側に設けて、回転ノズル６のノズル１４から散布される散布物を拡散できるようにしてある。
【００１５】
拡散羽根７の羽根片１６は図４（ｂ）のように四枚にすることも、それより少ない三枚或いは多い五枚以上とすることもできる。図４（ｂ）の羽根片１６は嵌合部１５の軸方向に位置をずらして二枚ずつ二段に設けてある。図４（ｂ）の拡散羽根７の嵌合部１５、羽根片１６の形状、構造、材質等は図４（ａ）のそれらと同じであってもよく、異なるものであってもよい。
【００１６】
［拡散羽根及び回転ノズルの取り付け］
図４（ａ）に示す拡散羽根７はその嵌合部１５を図３のように回転具１１（図５）の上から回転具１１の外周面１１ｂに被せて嵌合する。その後に、回転ノズル６（図３）の基体１２の下部外周面１２ａのネジを回転具１１（図５）のネジ孔１１ｂにねじ込んで回転具１１に取り付ける。これにより、回転ノズル６（図３）と拡散羽根７の双方が図２のように回転具１１に取り付けられて、回転具１１の回転に伴って回転する。回転具１１は散布物が回転ノズル６から噴射されると、その反作用で回転する。図４（ｂ）に示す拡散羽根７はその嵌合部１５を回転具１１（図５）の上から回転具１１の外周面１１ｂに被せて嵌合する（図６）。図６では図示していないが、図３の場合と同様に、回転ノズル６（図３）の基体１２の下部外周面１２ａのネジを、回転具１１（図６）のネジ孔１１ｂにねじ込んで回転具１１に取り付ける。
【００１７】
［カバー］
前記保護カバー８は供給パイプ５に取り付けてその外側に突出させてある。保護カバー８は拡散羽根７よりも手前に取り付ける。取り付け位置は任意に設定できるが、回転ノズル６や拡散羽根７の手前からそれらの外側に被さるように取り付けて、供給パイプ５を持った作業者の作業衣や手が、回転ノズル６や拡散羽根７に触れたり巻き込まれたりしないようにするのがよい。図示した保護カバー８は湾曲した椀型であるが、作業者の作業衣や手が、回転ノズル６や拡散羽根７に触れたり巻き込まれたりしないようにすることができれば、他の形状、構造、サイズであってもよい。保護カバー８は供給パイプ５に脱着可能としておくと、供給パイプ５の運搬、収納等が容易になる。
【００１８】
［散布器の作用］
前記した散布器１は、供給パイプ５に取り付けられている開閉弁（図示しない）を作業者が開くと、加圧供給機２から供給パイプ５に供給される散布物が前記ノズル１４から噴射される。この噴射の反作用により回転具１１が自動的に水平回転する。この回転により回転具１１に取り付けられている回転ノズル６及び拡散羽根７も回転して、ノズル１４から噴射される散布物を横方向及び先方に拡散できるようにしてある。農業用ハウスＨの広さにもよるが、図１のように二畝の農業用ハウスＨの場合（横幅１０ｍ程度の場合）は、その内部全般に拡散させることができる。
【符号の説明】
【００１９】
１      散布器
２      加圧供給機
３      植物
４      ホース
５      供給パイプ
６      回転ノズル
７      拡散羽根
８      保護カバー
９      ホース側固定具
９ａ    （ホース側固定具の）ネジ孔
１０    ノズル側連結具
１１    回転具
１１ａ  （回転具の）ネジ孔
１１ｂ  （回転具の）外周面
１２    基体
１２ａ  （基体の）下部外周面
１３    アームパイプ
１４    ノズル
１５    （拡散羽根の）嵌合部
１５ａ  羽根連結部
１５ｂ  （嵌合部の）係止突起
１６    （拡散羽根の）羽根片
【図１】
0003204516.tif 000003
【図２】
0003204516.tif 000004
【図３】
0003204516.tif 000005
【図４】
0003204516.tif 000006
【図５】
0003204516.tif 000007
【図６】
0003204516.tif 000008